(57)【要約】【課題】ランプユニット機能部の樹脂レンズが輸送時等に傷付くことを防止することができ、しかも、樹脂レンズの傷付き防止対策のためにランプユニット機能部の取り付け作業性が低下することの無いＬＥＤ照明装置を提供すること。【解決手段】ＬＥＤランプ２３をその樹脂レンズ２３ａが外部に導光可能な状態に保持するランプユニット機能部２５と、該ランプユニット機能部２５を照明装置設置箇所に固定する機能部取付け部と、を備えたＬＥＤ照明装置において、ランプユニット機能部２５に取り付けられるレンズ保護カバー２６は、保護板部５１が樹脂レンズ２３ａの前方に位置して樹脂レンズ２３ａを保護する保管時位置と、保護板部５１の開口部５１ａから樹脂レンズ２３ａが突出又は近接した使用時位置とに移動可能に、ランプユニット機能部２５に取り付ける。【選択図】図４
2010232154.tif 000002
【特許請求の範囲】
【請求項１】
ＬＥＤランプをその樹脂レンズが外部に導光可能な状態に保持すると共に前記ＬＥＤランプに電線を接続する電線接続手段を収容して照明装置を構成する１つのモジュールとして管理されるランプユニット機能部と、該ランプユニット機能部を照明装置設置箇所に固定する機能部取付け部と、を備えたＬＥＤ照明装置であって、
前記樹脂レンズからの光を外部に照射可能な開口部を有した保護板部と、該保護板部を前記樹脂レンズに対して所定の位置関係に前記ランプユニット機能部に連結する連結部とを具備したレンズ保護カバーを備え、
前記連結部は、該連結部上に装備されたロック部が前記ランプユニット機能部のカバー係止部に係合しているときには、前記保護板部を前記樹脂レンズの前方の位置である保管時位置に位置決めし、前記ロック部とカバー係止部との係合を解除すると前記保護板部が前記樹脂レンズ側に移動可能になって、前記樹脂レンズが前記開口部から突出又は前記開口部に近接した使用時位置に保護板部を位置決め可能なことを特徴とするＬＥＤ照明装置。
【請求項２】
前記機能部取付け部には、前記レンズ保護カバーが装着されたランプユニット機能部の取り付け操作時に、前記ロック部と前記カバー係止部との係合によるロック状態を解除するロック解除機構と、前記カバー係止部との係合によるロック状態が解除された前記レンズ保護カバーを前記樹脂レンズ側に移動させて前記レンズ保護カバーを前記使用時位置に位置決めするカバー位置決め部とが備えられていることを特徴とする請求項１に記載のＬＥＤ照明装置。
【請求項３】
前記機能部取付け部の前記樹脂レンズに対向するレンズ対向部が、前記照明装置設置箇所の照明側に露呈して照明装置の外観となる意匠部であることを特徴とする請求項１又は２に記載のＬＥＤ照明装置。
【請求項４】
前記電線接続手段が、圧接刃間に電線を割り込ませることで前記電線との導通接続を果たす圧接接続型の構造であり、
前記ランプユニット機能部は、前記電線接続手段を収容する接続手段収容部が設けられたユニットハウジングと、前記接続手段収容部に収容された前記電線接続手段及び電線の上を覆うように前記ユニットハウジングに組み付けられる電線カバーと、を備え、
前記電線カバーには、前記接続手段収容部の両端で前記電線を該電線カバーの前記ユニットハウジングへの組み付け方向に屈曲させて、その屈曲部を前記ユニットハウジングとの間に挾持する第１の電線屈曲押え部が設けられたことを特徴とする請求項１〜３の何れかに記載のＬＥＤ照明装置。
【請求項５】
前記レンズ保護カバーには、前記保護板部が前記使用時位置に位置決めされたときに、前記第１の電線屈曲押え部により挾持されている電線の屈曲部の外側の部位を、前記ランプユニット機能部に対する前記レンズ保護カバーの装着方向に屈曲させて前記電線カバーとの間に挾持する第２の電線屈曲押え部が設けられたことを特徴とする請求項４に記載のＬＥＤ照明装置。
【発明の詳細な説明】
【技術分野】
【０００１】
本発明は、ＬＥＤランプをその樹脂レンズが突出した状態に保持すると共に前記ＬＥＤランプに電線を接続する電線接続手段を収容して照明装置を構成する１つのモジュールとして管理されるランプユニット機能部と、該ランプユニット機能部を照明装置設置箇所に固定する機能部取付け部と、を備えたＬＥＤ照明装置に関する。
【背景技術】
【０００２】
近年、長寿命であること、消費電力が少ないこと等から、光源として、ＬＥＤチップを樹脂レンズで封止したＬＥＤランプを使用したＬＥＤ照明装置の普及がめざましい。
【０００３】
図２９は、車両等に搭載されるＬＥＤ照明装置を構成する１つのモジュールであるランプユニット機能部（ＬＥＤランプモジュール）の従来例を示したものである。このランプユニット機能部１は、下記特許文献１に開示されたもので、不図示の機能部取付け部（機能部取り付けモジュール）により照明装置設置箇所に固定される。
【０００４】
ランプユニット機能部１は、ＬＥＤチップを樹脂レンズ３ａで封止したＬＥＤランプ３をその樹脂レンズ３ａが突出した状態に保持するランプ保持部５と、ＬＥＤランプ３に電線７を接続する電線接続手段９を収容する接続手段収容部１１とを備えたもので、１つのモジュールとして管理される。
【０００５】
電線接続手段９は、金属板のプレス成形品で、図３０に示すように、ＬＥＤランプ３に給電するリード端子１３と、電線７を圧接接続する電線圧接刃１４と、これらのリード端子１３と電線圧接刃１４とを導通接続する連鎖帯１５とを具備した構成である。
【０００６】
電線接続手段９は、接続手段収容部１１に装備されている電線挿通溝１７，１８に電線圧接刃１４が突出するように、接続手段収容部１１に埋設装備される。
【０００７】
接続手段収容部１１には、電線挿通溝１７，１８の上を覆う開閉カバー１９が設けられている。
【先行技術文献】
【特許文献】
【０００８】
【特許文献１】特開２００５−９３９００号公報
【発明の概要】
【発明が解決しようとする課題】
【０００９】
ところが、上記のランプユニット機能部１は、ＬＥＤランプ３の樹脂レンズ３ａが突出した状態で露出しているため、保管時や輸送時等に樹脂レンズ３ａが周囲の器物等に擦れて、樹脂レンズ３ａに傷付きが発生する虞があった。
【００１０】
また、上記ランプユニット機能部１の場合、電線接続手段９が、圧接刃１４間に電線７を割り込ませることで電線７との導通接続を果たす圧接接続型の構造であり、圧接刃１４に接続された電線７は、圧接刃１４から抜け出さないように、電線挿通溝１７，１８の両端付近で開閉カバー１９の側壁により押える。
【００１１】
しかし、開閉カバー１９の側壁によって押えるだけでは、電線７をしっかりと固定することができず、例えば、激しい振動が加わる場所にランプユニット機能部１が設置された場合には、外部の振動が圧接刃１４に挾持されている電線部分に伝播されてしまい、その結果、電線７が圧接刃１４から外れる事故が生じる虞があった。
【００１２】
そこで、本発明の目的は上記課題を解消することに係り、ランプユニット機能部の樹脂レンズが輸送時等に傷付くことを防止することができ、しかも、樹脂レンズの傷付き防止対策のためにランプユニット機能部の取り付け作業性が低下することの無いＬＥＤ照明装置を提供すること、更には、激しい振動が加わる場所に設置された場合でも、圧接接続されている電線が外部の振動の影響で圧接刃から外れることが無いＬＥＤ照明装置を提供することにある。
【課題を解決するための手段】
【００１３】
本発明の前述した目的は、下記の構成により達成される。
（１）ＬＥＤランプをその樹脂レンズが外部に導光可能な状態に保持すると共に前記ＬＥＤランプに電線を接続する電線接続手段を収容して照明装置を構成する１つのモジュールとして管理されるランプユニット機能部と、該ランプユニット機能部を照明装置設置箇所に固定する機能部取付け部と、を備えたＬＥＤ照明装置であって、
前記樹脂レンズからの光を外部に照射可能な開口部を有した保護板部と、該保護板部を前記樹脂レンズに対して所定の位置関係に前記ランプユニット機能部に連結する連結部とを具備したレンズ保護カバーを備え、
前記連結部は、該連結部上に装備されたロック部が前記ランプユニット機能部のカバー係止部に係合しているときには、前記保護板部を前記樹脂レンズの前方の位置である保管時位置に位置決めし、前記ロック部とカバー係止部との係合を解除すると前記保護板部が前記樹脂レンズ側に移動可能になって、前記樹脂レンズが前記開口部から突出又は前記開口部に近接した使用時位置に保護板部を位置決め可能なことを特徴とするＬＥＤ照明装置。
【００１４】
（２）前記機能部取付け部には、前記レンズ保護カバーが装着されたランプユニット機能部の取り付け操作時に、前記ロック部と前記カバー係止部との係合によるロック状態を解除するロック解除機構と、前記カバー係止部との係合によるロック状態が解除された前記レンズ保護カバーを前記樹脂レンズ側に移動させて前記レンズ保護カバーを前記使用時位置に位置決めするカバー位置決め部とが備えられていることを特徴とする上記（１）に記載のＬＥＤ照明装置。
【００１５】
（３）前記機能部取付け部の前記樹脂レンズに対向するレンズ対向部が、前記照明装置設置箇所の照明側に露呈して照明装置の外観となる意匠部であることを特徴とする上記（１）又は（２）に記載のＬＥＤ照明装置。
【００１６】
（４）前記電線接続手段が、圧接刃間に電線を割り込ませることで前記電線との導通接続を果たす圧接接続型の構造であり、
前記ランプユニット機能部は、前記電線接続手段を収容する接続手段収容部が設けられたユニットハウジングと、前記接続手段収容部に収容された前記電線接続手段及び電線の上を覆うように前記ユニットハウジングに組み付けられる電線カバーと、を備え、
前記電線カバーには、前記接続手段収容部の両端で前記電線を該電線カバーの前記ユニットハウジングへの組み付け方向に屈曲させて、その屈曲部を前記ユニットハウジングとの間に挾持する第１の電線屈曲押え部が設けられたことを特徴とする上記（１）〜（３）の何れかに記載のＬＥＤ照明装置。
【００１７】
（５）前記レンズ保護カバーには、前記保護板部が前記使用時位置に位置決めされたときに、前記第１の電線屈曲押え部により挾持されている電線の屈曲部の外側の部位を、前記ランプユニット機能部に対する前記レンズ保護カバーの装着方向に屈曲させて前記電線カバーとの間に挾持する第２の電線屈曲押え部が設けられたことを特徴とする上記（４）に記載のＬＥＤ照明装置。
【００１８】
上記（１）の構成によれば、ＬＥＤランプをその樹脂レンズが外部に導光可能な状態に保持したランプユニット機能部にはレンズ保護カバーが取り付けられており、ランプユニット機能部の保管時や輸送時には、ランプユニット機能部に対するレンズ保護カバーの連結位置を保管時位置にしておくことで、ランプユニット機能部から突出しているＬＥＤランプの樹脂レンズの前方がレンズ保護カバーの保護板部によって覆われた状態になる。そのため、樹脂レンズが保管時や輸送時等に周囲の器物等と擦れて傷付くことを防止することができる。
【００１９】
また、ランプユニット機能部に対するレンズ保護カバーの連結位置を使用時位置にすると、レンズ保護カバーの保護板部の開口部からＬＥＤランプの樹脂レンズが突出又は開口部に近接した状態になり、レンズ保護カバーが樹脂レンズから出射される照明光を遮断しない。そのため、ランプユニット機能部は、レンズ保護カバーを取り外さずとも照明装置設置箇所に設置することができる。
【００２０】
即ち、ランプユニット機能部を照明装置設置箇所に取り付ける際には、樹脂レンズの傷付き防止対策のために装備したレンズ保護カバーを取り外す作業が必要とならない。従って、樹脂レンズの傷付き防止対策のためにランプユニット機能部の取り付け作業性が低下することも無い。
【００２１】
上記（２）の構成によれば、保護板部が樹脂レンズの前方を覆う保管時位置にレンズ保護カバーが位置決めされている状態のランプユニット機能部は、その状態のまま機能部取付け部に取り付ける操作をすると、レンズ保護カバーのロック部とランプユニット機能部のカバー係止部との係合が機能部取付け部側のロック解除機構によって解除される。このロック部とカバー係止部との係合解除によって、前記保管時位置への位置決めが解除されて、前記保護板部が樹脂レンズ側に移動可能になる。
【００２２】
そして、ランプユニット機能部を更に機能部取付け部に押し込むと、機能部取付け部側のカバー位置決め部がレンズ保護カバーを樹脂レンズ側に移動させて、前記保護板部から樹脂レンズが突出した使用時位置にレンズ保護カバーを位置決めする。
【００２３】
即ち、保管時位置にレンズ保護カバーが取り付けられているランプユニット機能部は、そのまま機能部取付け部に取り付ければ、レンズ保護カバーが自動的に使用時位置に移動するため、作業者は事前にレンズ保護カバーを移動操作する必要がなく、機能部取付け部へのランプユニット機能部の取り付け作業を極めて容易にできる。
【００２４】
上記（３）の構成によれば、照明装置設置箇所にランプユニット機能部を固定する機能部取付け部が、照明装置の外観となる意匠部を兼ねているため、別体の意匠部用のカバー部材等が必要なく、ＬＥＤ照明装置における部品点数の削減と、組み立て作業工程の削減によるコストダウンを図ることができる。
【００２５】
上記（４）の構成によれば、ユニットハウジングの接続手段収容部に収容された電線接続手段に電線を圧接接続した後、前記ユニットハウジングに電線カバーを組み付けると、前記電線カバーに設けられた第１の電線屈曲押え部が、接続手段収容部の両端に位置している電線を該電線カバーの前記ユニットハウジングへの組み付け方向に屈曲させて、その屈曲部を前記ユニットハウジングとの間に挾持する。
【００２６】
屈曲部の電線は、屈曲により曲げ剛性が向上していて、より堅固に固定することができる。そして、第１の電線屈曲押え部とユニットハウジングとの挾持による電線固定部は、固定部の外側の電線に伝わる振動が固定部の内側の電線に伝播されることを阻止する振動止めとして機能する。
【００２７】
従って、外部の振動が、圧接刃に挾持されている電線部分に伝播されることを防止することができる。
そのため、ユニットハウジングに電線カバーの組み付けが完了しているＬＥＤ照明装置の保管時や輸送時等には、圧接接続されている電線が外部の振動の影響で圧接刃から外れることが無く、電線との良好な接続特性を維持することができる。
【００２８】
更に、電線接続手段に圧接接続した電線が電線接続手段の外側で固定されているため、電線接続手段自体には電線固定用の外被把持爪を設ける必要がなく、電線接続手段の小型化、構造の単純化を図ることができる。
【００２９】
上記（５）の構成によれば、ランプユニット機能部の機能部取付け部への取り付け操作が完了して、ランプユニット機能部に装着されているレンズ保護カバーが使用時位置に位置決めされると、レンズ保護カバーに装備した第２の電線屈曲押え部が、電線カバーの第１の電線屈曲押え部とユニットハウジングとの間に挾持されている電線の屈曲部の外側の部位を、ランプユニット機能部に対するレンズ保護カバーの装着方向に屈曲させて電線カバーとの間に挾持する。
【００３０】
即ち、ＬＥＤ照明装置の使用時には、ランプユニット機能部内の電線接続手段に圧接接続されている電線は、接続手段収容部の両端で、第１の電線屈曲押え部による屈曲と、第２の電線屈曲押え部による屈曲とをそれぞれ受けて、２重に屈曲部が形成されて、それぞれの屈曲部が挾持によりしっかりと固定された状態になる。
【００３１】
そのため、電線の固定強度や、振動の伝搬を阻止する機能が、保管時の状態よりも更に向上し、激しい振動が加わる場所に設置された場合でも、圧接接続されている電線が外部の振動の影響で圧接刃から外れることが無く、電線との良好な接続特性を安定維持することができる。
【発明の効果】
【００３２】
本発明によるＬＥＤ照明装置によれば、ランプユニット機能部に対して保管時位置に位置決めされたレンズ保護カバーの保護板部が、ランプユニット機能部に突出装備されている樹脂レンズの前方を覆うため、樹脂レンズが保管時や輸送時等に周囲の器物等と擦れて傷付くことを防止することができる。
【００３３】
また、ランプユニット機能部に対するレンズ保護カバーの連結位置を使用時位置にすると、レンズ保護カバーからＬＥＤランプの樹脂レンズが突出した状態になり、レンズ保護カバーが照明の邪魔にならないため、ランプユニット機能部は、レンズ保護カバーを取り外さずとも照明装置設置箇所に設置することができる。従って、ランプユニット機能部を照明装置設置箇所に取り付ける際には、レンズ保護カバーを取り外す必要がなく、樹脂レンズの傷付き防止対策として装備したレンズ保護カバーのためにランプユニット機能部の取り付け作業性が低下することも無い。
【図面の簡単な説明】
【００３４】
【図１】本発明に係るＬＥＤ照明装置の一実施形態のランプユニット機能部を機能部取付け部に取り付ける前の状態を示す斜視図である。
【図２】図１のランプユニット機能部を機能部取付け部に取り付けた状態の斜視図である。
【図３】図２に示したＬＥＤ照明装置の正面側からの斜視図である。
【図４】図１に示したランプユニット機能部の分解斜視図である。
【図５】図４のレンズ保護カバーを取り外した状態のランプユニット機能部の正面側からの分解斜視図である。
【図６】図５に示したランプ支持ハウジングの裏面の接続手段収容部の構成を示す斜視図である。
【図７】図５のＡ矢視図である。
【図８】図５に示したランプユニット機能部の組立状態における前面側からの斜視図である。
【図９】図８に示したランプユニット機能部に対してレンズ保護カバーが保管時位置に位置決めされた状態の斜視図である。
【図１０】（ａ）はレンズ保護カバーが保管時位置に位置決めされているランプユニット機能部を機能部取付け部に取り付ける前の縦断面図、（ｂ）は（ａ）のＢ−Ｂ断面図である。
【図１１】（ａ）はレンズ保護カバーが保管時位置に位置決めされているランプユニット機能部の機能部取付け部への取り付けが始まって、保管時位置への係合状態の解除が開始された状態を示す縦断面図、（ｂ）は（ａ）のＣ−Ｃ断面図である。
【図１２】（ａ）はランプユニット機能部の機能部取付け部への取り付け作業が進み、係合状態の解除が完了して、次に、レンズ保護カバーの使用時位置への移動が開始される状態を示す縦断面図、（ｂ）は（ａ）のＤ−Ｄ断面図である。
【図１３】（ａ）はランプユニット機能部の機能部取付け部への取り付け作業が進み、レンズ保護カバーの使用時位置への移動が進行している状態を示す縦断面図、（ｂ）は（ａ）のＥ−Ｅ断面図である。
【図１４】（ａ）はランプユニット機能部の機能部取付け部への取り付け作業が完了して、レンズ保護カバーの使用時位置への移動が完了すると共に、ランプユニット機能部が機能部取付け部に固定された状態を示す縦断面図、（ｂ）は（ａ）のＦ−Ｆ断面図である。
【図１５】本発明に係るＬＥＤ照明装置の他の実施形態の正面側からの斜視図である。
【図１６】図１５に示したＬＥＤ照明装置の背面側からの斜視図である。
【図１７】図１５に示したランプユニット機能部に対してレンズ保護カバーが保管時位置に位置決めされた組立体（機能部取付け部は取り外されている）の前面側からの斜視図である。
【図１８】図１７に示した組立体の後面側からの斜視図である。
【図１９】図１７に示した組立体の分解斜視図である。
【図２０】図１８に示した向きに対応した組立体の分解斜視図である。
【図２１】図２０に示した各構成部品の横断面図である。
【図２２】図２１のＧ−Ｇ断面図である。
【図２３】（ａ）は図２１に示したユニットハウジングに、ＬＥＤランプ、電線接続手段、電線、が組み付けられた部分組立体の横断面図、（ｂ）は（ａ）のＨ−Ｈ断面図、（ｃ）は（ａ）のＩ−Ｉ断面図である。
【図２４】（ａ）は図２３に示した部分組立体のユニットハウジングの後面側に電線カバーを組み付けられ、更に、ユニットハウジングの前面側にレンズ保護カバーが保管時位置に組み付けられて、電線カバーの第１の電線屈曲押え部がユニットハウジングに収容されている電線に屈曲部を形成して挾持した状態の横断面図、（ｂ）は（ａ）のＪ−Ｊ断面図、（ｃ）は（ａ）のＫ−Ｋ断面図である。
【図２５】（ａ）は図２４に示した組立体を機能部取付け部に取り付ける前の状態の横断面図、（ｂ）は（ａ）のＬ−Ｌ断面図、（ｃ）は（ａ）のＭ−Ｍ断面図である。
【図２６】（ａ）は図２５に示したランプユニット機能部に組み付けられた機能部取付け部のロック解除機構が、レンズ保護カバーのロック状態を解除する前の状態の横断面図、（ｂ）は（ａ）のＮ−Ｎ断面図、（ｃ）は（ａ）のＯ−Ｏ断面図である。
【図２７】（ａ）はランプユニット機能部に組み付けられた機能部取付け部のロック解除機構によりレンズ保護カバーのロック状態が解除されて、機能部取付け部のレンズ対向部に連動したレンズ保護カバーの移動により、レンズ保護カバーの第２の電線屈曲押え部が電線の屈曲を開始した状態の横断面図、（ｂ）は（ａ）のＰ−Ｐ断面図、（ｃ）は（ａ）のＱ−Ｑ断面図である。
【図２８】（ａ）はランプユニット機能部と機能部取付け部との係合が完了して使用時位置に位置決めされたレンズ保護カバーの第２の電線屈曲押え部による電線の屈曲が完了した状態の横断面図、（ｂ）は（ａ）のＲ−Ｒ断面図、（ｃ）は（ａ）のＳ−Ｓ断面図である。
【図２９】従来のＬＥＤ照明装置のランプユニット機能部の説明図である。
【図３０】図２９のランプユニット機能部に組み込まれる電線接続手段の斜視図である。
【発明を実施するための形態】
【００３５】
以下、本発明に係るＬＥＤ照明装置の好適な実施形態について、図面を参照して詳細に説明する。
【００３６】
図１〜図３は、本発明に係るＬＥＤ照明装置の一実施形態を示したものである。
この一実施形態のＬＥＤ照明装置２１は、例えば内部照明装置として、自動車の車室内の照明や、コンソールボックスやグローブボックス等の収容部内部の照明に使用することができ、また、外部照明装置として自動車のストップランプやテールランプ等にも使用することができ、更には、自動車以外の分野にも広範に使用することができる照明装置である。
【００３７】
この一実施形態のＬＥＤ照明装置２１は、図１〜図３に示したように、ＬＥＤランプ２３を収容保持したランプユニット機能部２５と、ランプユニット機能部２５の前面に取り付けられるレンズ保護カバー２６と、該ランプユニット機能部２５を車両内装壁等の照明装置設置箇所に固定する機能部取付け部２７と、を備えている。
【００３８】
ランプユニット機能部２５は、図４及び図５に示すように、ＬＥＤチップを樹脂レンズ２３ａで封止したＬＥＤランプ２３と、電線２８をＬＥＤランプ２３に導通接続する電線接続手段であるバスバー２９と、ＬＥＤランプ２３をその樹脂レンズ２３ａが前面側に突出した状態に保持するランプ保持部３１ａとバスバー２９及び電線２８を収容保持する接続手段収容部３１ｂとを備えたユニットハウジング３１と、接続手段収容部３１ｂに収容されたバスバー２９や電線２８の上を覆うようにユニットハウジング３１の後面側に組み付けられる電線カバー３３とを備えている。
【００３９】
バスバー２９は、金属板のプレス成形品で、図６に示すように、電線２８を挿通させる電線挿通溝２９ａを形成する一対の側壁板部２９ｂに、電線２８を圧接接続するための圧接刃２９ｃを切り起こし形成している。即ち、本実施形態のバスバー２９は、圧接刃２９ｃ間に電線を割り込ませることで前記電線２８との導通接続を果たす圧接接続型の構造である。
【００４０】
また、側壁板部２９ｂの長さ方向の両端部には、電線２８の被覆の上に加締めて電線２８の固定を行う外被把持爪２９ｄが設けられている。各外被把持爪２９ｄを電線２８にしっかりと加締め付けることで、バスバー２９の圧接刃２９ｃに圧接接続された電線２８は、電線挿通溝２９ａの両端部でしっかりとバスバー２９に固定される。
【００４１】
各外被把持爪２９ｄによる固定部は、固定部の外側の電線２８に伝わる振動が固定部の内側の電線２８に伝播されることを阻止する振動止めとして機能する。従って、外部の振動が、圧接刃２９ｃに挾持されている電線部分に伝播されることを防止することができ、例えば、激しい振動が加わる場所に設置された場合でも、圧接接続されている電線２８が外部の振動の影響で圧接刃２９ｃから外れることが無く、電線２８との良好な接続特性を維持することができる。
【００４２】
バスバー２９は、接続手段収容部３１ｂに装着されると、一対の側壁板部２９ｂを連結している連結板部２９ｅが、ＬＥＤランプ２３の後端面に当接されることで、ＬＥＤランプ２３の後端面に露出しているリード端子に接触して、ＬＥＤランプ２３との導通接続を果たす。
【００４３】
ランプユニット機能部２５は、まず、図８に示すように、ユニットハウジング３１にＬＥＤランプ２３及び一対のバスバー２９を組み付けた状態にした後、図９に示したように、更に、ユニットハウジング３１に対して、電線カバー３３とレンズ保護カバー２６とを組み付けた組立状態にして、単一のモジュール（ＬＥＤランプモジュール）として管理される。
【００４４】
図５に示すように、ユニットハウジング３１の両側を挟む電線カバー３３の両側壁部３３ａには、ユニットハウジング３１の両側に突設された電線カバー係止突起４１と係合する係合用切り欠き４３が形成されている。
ユニットハウジング３１に組み付けられた電線カバー３３は、両側壁部３３ａの係合用切り欠き４３がユニットハウジング３１の両側の電線カバー係止突起４１に係合することで、ユニットハウジング３１に固定される。
【００４５】
電線カバー３３の両側壁部３３ａには、図４に示すように、レンズ保護カバー２６を後述する保管時位置に位置決めするためのカバー係止突起４４が突設されている。
【００４６】
レンズ保護カバー２６は、図４及び図９に示すように、樹脂レンズ２３ａを挿通可能な開口部５１ａを有した保護板部５１と、保護板部５１の両側に延設されてランプユニット機能部２５との連結を果たす連結部５３，５６とを備えている。本実施形態の場合、連結部５３は、電線カバー３３の両側壁部３３ａを挟むように保護板部５１の両側部に延設された側壁である。また、連結部５６は、電線２８の挿通方向に対向するように保護板部５１の両端部に延設された側壁である。
【００４７】
各連結部５３には、図４及び図９に示すように、電線カバー３３の側壁部３３ａに突設されたカバー係止突起４４との係合により電線カバー３３との連結を果たす係合穴５５が設けられている。
【００４８】
また、図４及び図１０に示すように、各連結部５６には、接続手段収容部３１ｂを挿通した電線２８の挿通部となる切り欠き５７が設けられている。更に、各連結部５６の内面側には、図４及び図１０に示すように、ユニットハウジング３１の前端面３１ｃ（図８参照）に当接する突起５８が設けられている。
【００４９】
レンズ保護カバー２６に装備された突起５８は、図１０（ａ）に示すように、ユニットハウジング３１の前端面３１ｃへの当接によって、保護板部５１が樹脂レンズ２３ａに接近する方向への移動を規制する。一方、レンズ保護カバー２６に装備された前述の係合穴５５は、図１０（ｂ）に示すように、電線カバー３３のカバー係止突起４４との係合によって、保護板部５１が樹脂レンズ２３ａから離れる方向への移動を規制する。
【００５０】
即ち、レンズ保護カバー２６の突起５８と、係合穴５５とは、協働で、レンズ保護カバー２６をランプユニット機能部２５に固定するロック部５９（図４参照）を構成している。
【００５１】
また、電線カバー３３のカバー係止突起４４と、電線カバー３３が結合されたユニットハウジング３１の前端面３１ｃとは、協働で、ロック部５９との係合によりレンズ保護カバー２６を位置決め固定するカバー係止部６１（図９参照）を構成している。
【００５２】
ロック部５９とカバー係止部６１とが係合した状態では、レンズ保護カバー２６は、図１０に示すように、保護板部５１が樹脂レンズ２３ａの前方の位置である保管時位置に位置決め・固定されたロック状態になる。
【００５３】
ランプユニット機能部２５に対して保管時位置に位置決めされているレンズ保護カバー２６は、一対の連結部５６を外側に撓み変形させると、連結部５６上の突起５８とユニットハウジング３１の前端面３１ｃとの係合が解除されて、保護板部５１が樹脂レンズ２３ａ側に移動可能になる。そして、この状態で保護板部５１を樹脂レンズ２３ａ側に押圧すると、図１４に示すように、保護板部５１はユニットハウジング３１の前端面３１ｃに重なるまで移動可能である。
【００５４】
保護板部５１がユニットハウジング３１の前端面３１ｃに重なる位置は、樹脂レンズ２３ａが保護板部５１の開口部５１ａを挿通して、保護板部５１から前記樹脂レンズ２３ａが突出した状態になる位置で、本実施形態では、便宜上、使用時位置と呼称する。
【００５５】
機能部取付け部２７は、図１及び図２に示すように、樹脂レンズ２３ａに対向する平板状のレンズ対向部７１と、このレンズ対向部７１に立設されたロック解除機構７３と、レンズ対向部７１に立設されてランプユニット機能部２５を位置決め固定する機能部固定部７５と、適宜樹脂材料で一体成形したものである。
【００５６】
レンズ対向部７１は、樹脂レンズ２３ａと対向する位置に、樹脂レンズ２３ａが挿通可能な開口部７１ａを有している。このレンズ対向部７１は、照明装置設置箇所の照明側（例えば、室内照明装置として利用される場合は室内側）に露呈して照明装置の外観となる意匠部を兼ねている。
【００５７】
ロック解除機構７３は、図９に示したランプユニット機能部２５を機能部取付け部２７に取り付けるときに、レンズ保護カバー２６の保護板部５１に形成されている解除機構挿通穴５１ｂ（図９参照）から連結部５６の内側に侵入して、図１１及び図１２に示すように、突起５８の対向部に形成された傾斜面５８ａを押圧することによって、連結部５６の上端側を外方（図１２の矢印Ｘ方向）に撓み変形させて、突起５８と前端面３１ｃとの係合を外す。突起５８と前端面３１ｃとの係合が外れると、レンズ保護カバー２６のロック状態が解除され、図１３及び図１４に示すように、レンズ保護カバー２６は樹脂レンズ２３ａ側に移動可能になる。
【００５８】
図１２に示したロック解除状態でランプユニット機能部２５の電線カバー３３を更にレンズ対向部７１側に押し込むと、図１３及び図１４に示すように、保護板部５１とレンズ対向部７１とが電線カバー３３側に相対移動し、最終的には、図１４（ａ）に示すように、ユニットハウジング３１の前端面３１ｃ上に保護板部５１とレンズ対向部７１とが密着状態に積層した状態になる。
【００５９】
図１４に示した状態の時、樹脂レンズ２３ａに対する保護板部５１の位置は、樹脂レンズ２３ａが保護板部５１の開口部５１ａを挿通して、保護板部５１から樹脂レンズ２３ａが突出した状態になる使用時位置になっている。
【００６０】
機能部取付け部２７の機能部固定部７５は、機能部取付け部２７に押し込んだランプユニット機能部２５の保護板部５１が、図１４に示した使用時位置に移動完了したときに、図１４（ｂ）に示したように、電線カバー３３のカバー係止突起４４に係合して、ランプユニット機能部２５を位置決め固定する係合突起７５ａを有している。
【００６１】
図１４に示した位置決め状態では、保護板部５１は、樹脂レンズ２３ａが開口部５１ａに挿通してレンズ対向部７１側に突出した使用時位置に位置決め固定されている。
【００６２】
従って、本実施形態の場合、ランプユニット機能部２５の固定を果たす機能部固定部７５と、保護板部５１に当接しているレンズ対向部７１とは、ロック状態が解除されたレンズ保護カバー２６を樹脂レンズ２３ａ側に移動させてレンズ保護カバー２６を前記使用時位置に位置決めするカバー位置決め部を構成している。
【００６３】
図９に示したようにレンズ保護カバー２６が保管時位置にロック状態に装着されたランプユニット機能部２５は、図１０〜図１４に示す手順で、機能部取付け部２７に取り付ける。
【００６４】
図１０は、レンズ保護カバー２６が保管時位置に位置決め固定されているランプユニット機能部２５を機能部取付け部２７に取り付ける前の状態で、保護板部５１とレンズ対向部７１とが平行になるように、ランプユニット機能部２５と機能部取付け部２７とを対峙させる。
【００６５】
次いで、図１１に示すように、機能部取付け部２７のロック解除機構７３が、レンズ保護カバー２６の解除機構挿通穴５１ｂを挿通するように、ランプユニット機能部２５を機能部取付け部２７に押し込む。
【００６６】
そして、図１２に矢印Ｐで示したように、ロック解除機構７３が連結部５６上の突起５８の傾斜面５８ａに当接した状態で、電線カバー３３をレンズ対向部７１側に押圧すると、ロック解除機構７３から傾斜面５８ａに作用する押圧力で、図中の矢印Ｘ方向に連結部５６が撓み変形して、ユニットハウジング３１の前端面３１ｃと突起５８との係合が解除されて、レンズ保護カバー２６が樹脂レンズ２３ａ側に移動可能になるロック解除状態になる。
【００６７】
ロック解除状態で、更に電線カバー３３をレンズ対向部７１側に押し込むと、図１３に示すように、レンズ保護カバー２６の保護板部５１と機能部取付け部２７のレンズ対向部７１とが積層状態でユニットハウジング３１側に相対移動する。そして、最終的には、図１４（ａ）に示すように、レンズ対向部７１と保護板部５１とユニットハウジング３１の前端面３１ｃとが密着状態になると、図１４（ｂ）に示すように機能部固定部７５の係合突起７５ａが電線カバー３３のカバー係止突起４４に係合して、ランプユニット機能部２５が機能部取付け部２７に固定された状態になる。
【００６８】
図１４に示した固定状態では、樹脂レンズ２３ａは、保護板部５１に形成された開口部５１ａ、及びレンズ対向部７１に形成された開口部７１ａを挿通して、レンズ対向部７１の前方に突出していて、外部に照明光を出射できる状態になっている。
【００６９】
以上に説明した本実施形態のＬＥＤ照明装置２１では、ＬＥＤランプ２３をその樹脂レンズ２３ａが突出した状態に保持したランプユニット機能部２５には、図４に示したように、レンズ保護カバー２６が取り付けられる。
【００７０】
そして、レンズ保護カバー２６は、ランプユニット機能部２５との連結を果たす連結部５３，５６に装備されたロック部５９を、ランプユニット機能部２５側に装備されているカバー係止部６１との係合させることによって、樹脂レンズ２３ａの前方を覆う保管時位置に位置決めされる。
【００７１】
従って、ランプユニット機能部２５の保管時や輸送時には、ランプユニット機能部２５に対するレンズ保護カバー２６の連結位置を保管時位置にしておくことで、図９に示したようにランプユニット機能部２５から突出しているＬＥＤランプ２３の樹脂レンズ２３ａの前方がレンズ保護カバー２６の保護板部５１によって覆われた状態になる。そのため、樹脂レンズ２３ａが保管時や輸送時等に周囲の器物等と擦れて傷付くことを防止することができる。
【００７２】
また、レンズ保護カバー２６は、該レンズ保護カバー２６上のロック部５９とランプユニット機能部２５側のカバー係止部６１との係合を解除すると、保護板部５１が樹脂レンズ２３ａ側に移動可能になり、樹脂レンズ２３ａが保護板部５１の開口部５１ａを挿通して保護板部５１から前方に突出した使用時位置に位置決めすることができる。
【００７３】
即ち、ランプユニット機能部２５に対するレンズ保護カバー２６の連結位置を使用時位置にすると、図１４（ａ）に示したように、レンズ保護カバー２６の保護板部５１からＬＥＤランプ２３の樹脂レンズ２３ａが突出した状態になり、レンズ保護カバー２６が樹脂レンズ２３ａから出射される照明光を遮断しない。そのため、ランプユニット機能部２５は、レンズ保護カバー２６を取り外さずとも照明装置設置箇所に設置することができる。
【００７４】
換言すると、ランプユニット機能部２５を照明装置設置箇所に取り付ける際には、樹脂レンズ２３ａの傷付き防止対策のために装備したレンズ保護カバー２６を取り外す作業が必要とならない。従って、樹脂レンズ２３ａの傷付き防止対策のためにランプユニット機能部２５の取り付け作業性が低下することも無い。
【００７５】
また、本実施形態のＬＥＤ照明装置２１の場合、機能部取付け部２７には、レンズ保護カバー２６が装着されたランプユニット機能部２５の取り付け操作時に、レンズ保護カバー２６に装備されたロック部５９とランプユニット機能部２５側に装備されたカバー係止部６１との係合を解除するロック解除機構７３と、カバー係止部６１との係合が解除されたレンズ保護カバー２６を樹脂レンズ２３ａ側に移動させて前記レンズ保護カバー２６を前記使用時位置に位置決めするカバー位置決め部（上記実施形態では、ランプユニット機能部２５の固定を果たす機能部固定部７５と、保護板部５１に当接しているレンズ対向部７１とで構成されている）とが備えられている。
【００７６】
そのため、保護板部５１が樹脂レンズ２３ａの前方を覆う保管時位置にレンズ保護カバー２６が位置決めされている状態のランプユニット機能部２５は、図１０及び図１１に示すように、その状態のまま機能部取付け部２７に取り付ける操作をすると、図１２に示すようにレンズ保護カバー２６のロック部５９とランプユニット機能部２５のカバー係止部６１との係合が機能部取付け部２７側のロック解除機構７３によって解除される。このロック部５９とカバー係止部６１との係合解除によって、保管時位置への位置決め（ロック状態）が解除されて、保護板部５１が樹脂レンズ２３ａ側に移動可能になる。
【００７７】
そして、図１３及び図１４に示すように、ランプユニット機能部２５を更に機能部取付け部２７に押し込むと、機能部取付け部２７側のカバー位置決め部（機能部固定部７５と、レンズ対向部７１）がレンズ保護カバー２６を樹脂レンズ２３ａ側に移動させて、前記保護板部５１から樹脂レンズ２３ａが突出した使用時位置にレンズ保護カバー２６を位置決め固定する。
【００７８】
即ち、保管時位置にレンズ保護カバー２６が取り付けられているランプユニット機能部２５は、そのまま機能部取付け部２７に取り付ければ、レンズ保護カバー２６が自動的に使用時位置に移動するため、作業者は事前にレンズ保護カバー２６を移動操作する必要がなく、機能部取付け部２７へのランプユニット機能部２５の取り付け作業を極めて容易にできる。
【００７９】
更に本実施形態のＬＥＤ照明装置２１では、樹脂レンズ２３ａに対向する機能部取付け部２７のレンズ対向部７１が、照明装置設置箇所の照明側に露呈して照明装置の外観となる意匠部である。即ち、機能部取付け部２７が、照明装置の外観となる意匠部を兼ねているため、別体の意匠部用のカバー部材等が必要なく、ＬＥＤ照明装置における部品点数の削減と、組み立て作業工程の削減によるコストダウンを図ることができる。
【００８０】
図１５は本発明に係るＬＥＤ照明装置の他の実施形態の正面側（前面側）からの斜視図、図１６は図１５に示したＬＥＤ照明装置の背面側（後面側）からの斜視図、図１７は図１５に示したランプユニット機能部に対してレンズ保護カバーが保管時位置に位置決めされた組立体（機能部取付け部は取り外されている）の前面側からの斜視図、図１８は図１７に示した組立体の後面側からの斜視図である。
【００８１】
図１５〜図１８に示したＬＥＤ照明装置２１Ａは、図１〜図１４に示した一実施形態のＬＥＤ照明装置２１の一部を改良したものである。
【００８２】
改良した点は、図１９及び図２０に示すように、電線２８を圧接接続する電線接続手段としてのバスバー２９Ａは、図６に示した一実施形態のバスバー２９から外被把持爪２９ｄを削除した単純でコンパクトな構成になっている。
【００８３】
バスバー２９Ａは、上記の改良点以外は、一実施形態のバスバー２９と同様の構成である。即ち、バスバー２９Ａは、金属板のプレス成形品で、図２０に示すように、電線２８を挿通させる電線挿通溝２９ａを形成する一対の側壁板部２９ｂに、電線２８を圧接接続するための圧接刃２９ｃを切り起こし形成しており、対向する圧接刃２９ｃ間に電線２８を割り込ませることで電線２８との導通接続を果たす圧接接続型の構造である。
【００８４】
そして、上述したバスバー２９Ａの構造の改良に伴い、バスバー２９Ａに圧接接続した電線２８を、ユニットハウジング３１の接続手段収容部３１ｂの両端に位置する部位でそれぞれ固定支持するために、ユニットハウジング３１の後面側に組み付けられる電線カバー３３Ａは第１の電線屈曲押え部８１を備えた構造に改良され、ユニットハウジング３１の前面側に組み付けられるレンズ保護カバー２６Ａは第２の電線屈曲押え部８３を備えた構造に改良されている。
【００８５】
ＬＥＤ照明装置２１Ａにおいて使用するユニットハウジング３１や機能部取付け部２７は、一実施形態のものと共通で良く、これらの共通部品についての説明は省略する。
【００８６】
本実施形態のＬＥＤ照明装置２１Ａの場合、図１９及び図２０に示すように、ユニットハウジング３１、ユニットハウジング３１の前面側に装着されたＬＥＤランプ２３、ユニットハウジング３１の接続手段収容部３１ｂに収容されたバスバー２９Ａ及び電線２８、ユニットハウジング３１の後面側に組み付けられる電線カバー３３Ａにより、ランプユニット機能部２５Ａが構成される。
【００８７】
次に、図２３〜図２８に基づいてＬＥＤ照明装置２１Ａの組立手順を説明しながら、電線カバー３３Ａ及びレンズ保護カバー２６Ａの改良された構成について説明する。
【００８８】
ＬＥＤ照明装置２１Ａは、まず、図２３に示すように、ユニットハウジング３１の前面側にＬＥＤランプ２３を組み付け、更に、ユニットハウジング３１の後面側には、バスバー２９Ａや電線２８を組み付けた部分組立を行う。
【００８９】
次いで、図２４に示すように、ユニットハウジング３１の後面側に電線カバー３３Ａを組み付けると共に、ユニットハウジング３１の前面側にレンズ保護カバー２６Ａを組み付ける。
【００９０】
このとき、ユニットハウジング３１の後面側に組み付けた電線カバー３３Ａは、図２０に示したように、その両側壁部３３ａに形成された係合用切り欠き４３と、ユニットハウジング３１の両側に突設された電線カバー係止突起４１との係合により、ユニットハウジング３１に固定される。このようなユニットハウジング３１と電線カバー３３との係合構造は、一実施形態と同様である。
【００９１】
電線カバー３３Ａは、図２１及び図２２に示したように、接続手段収容部３１ｂの長手方向の両端に対応する位置に、電線２８を固定するための第１の電線屈曲押え部８１が突設されている。第１の電線屈曲押え部８１は、図２２に示したように，先端に向かって板厚が低減するテーパ８１ａが付けられ、また、先端部や両側縁部にはＲ状又はテーパ状の面取り８１ｂが施されている。これらのテーパ８１ａや面取り８１ｂは、接触する電線２８を傷付けないようにするためのものである。
【００９２】
そして、ユニットハウジング３１に係合固定された電線カバー３３Ａの第１の電線屈曲押え部８１は、図２４（ｃ）に示すように、接続手段収容部３１ｂの両端で電線２８をユニットハウジング３１の前端面３１ｃ側（即ち、図２４に矢印Ｘで示す電線カバー３３のユニットハウジング３１への組み付け方向前方側）に屈曲させて、その屈曲部２８ａをユニットハウジング３１との間に挾持・固定する。
【００９３】
また、ユニットハウジング３１の前面側に組み付けたレンズ保護カバー２６Ａは、図２４（ｂ）に示すように電線２８の挿通方向に対向する連結部５６に突設された突起５８をユニットハウジング３１の前端面３１ｃに当接すると共に、図２４（ａ）に示すように電線カバー３３の両側壁部３３ａを挟んで対向する連結部５３の係合穴５５に電線カバー３３の側壁部３３ａ上のカバー係止突起４４が係合することで、ランプユニット機能部２５Ａに対して保管時位置に位置決め固定された状態になる。
【００９４】
図２０に示したように、レンズ保護カバー２６Ａの突起５８と、係合穴５５とは、協働で、レンズ保護カバー２６Ａをランプユニット機能部２５Ａに固定するロック部５９を構成している。また、電線カバー３３Ａのカバー係止突起４４と、電線カバー３３Ａが結合されたユニットハウジング３１の前端面３１ｃとは、協働で、ロック部５９との係合によりレンズ保護カバー２６を位置決め固定するカバー係止部６１（図１７参照）を構成している。
【００９５】
なお、ロック部５９とカバー係止部６１との係合によりレンズ保護カバー２６Ａが保管時位置に位置決めされる構造は、一実施形態と同様である。
【００９６】
レンズ保護カバー２６Ａが保管時位置に組み付けられたランプユニット機能部２５Ａは、図２５〜図２７に示すように、ランプユニット機能部２５Ａの前面側に機能部取付け部２７を取り付ける。
【００９７】
機能部取付け部２７の取り付け時、図２５（ｂ），図２６（ｂ）に示すように、機能部取付け部２７のレンズ対向部７１に立設されているロック解除機構７３が、レンズ保護カバー２６Ａの保護板部５１に形成されている解除機構挿通穴５１ｂ（図１９参照）から連結部５６の内側に侵入して、突起５８の対向部に形成された傾斜面５８ａ（図２２参照）を押圧することによって、連結部５６の上端側を外方（図２６（ｂ）の矢印Ｘ方向）に撓み変形させて、突起５８と前端面３１ｃとの係合を外す。突起５８と前端面３１ｃとの係合が外れると、レンズ保護カバー２６Ａのロック状態が解除され、図２７及び図２８に示すように、レンズ保護カバー２６Ａは樹脂レンズ２３ａ側に移動可能になる。
【００９８】
図２６に示したロック解除状態でランプユニット機能部２５Ａの電線カバー３３Ａを更にレンズ対向部７１側に押し込むと、図２７及び図２８に示すように、保護板部５１とレンズ対向部７１とが電線カバー３３Ａ側に相対移動し、最終的には、図２８（ｂ）に示すように、ユニットハウジング３１の前端面３１ｃ上に保護板部５１とレンズ対向部７１とが密着状態に積層した状態になる。
【００９９】
図２８に示した状態の時、樹脂レンズ２３ａに対する保護板部５１の位置は、樹脂レンズ２３ａが保護板部５１の開口部５１ａを挿通して、保護板部５１から樹脂レンズ２３ａが突出した状態になる使用時位置になっている。
【０１００】
機能部取付け部２７の機能部固定部７５は、機能部取付け部２７に押し込んだランプユニット機能部２５Ａの保護板部５１が、図２８に示した使用時位置に移動完了したときに、図２８（ａ）に示したように、電線カバー３３Ａのカバー係止突起４４に係合してランプユニット機能部２５を位置決め固定する係合突起７５ａを有している。
【０１０１】
図２８に示した位置決め状態では、保護板部５１は、樹脂レンズ２３ａが開口部５１ａに挿通してレンズ対向部７１側に突出した使用時位置に位置決め固定されている。
【０１０２】
従って、ランプユニット機能部２５Ａの固定を果たす機能部固定部７５と、保護板部５１に当接しているレンズ対向部７１とは、ロック状態が解除されたレンズ保護カバー２６Ａを樹脂レンズ２３ａ側に移動させてレンズ保護カバー２６Ａを前記使用時位置に位置決めするカバー位置決め部として機能している。
【０１０３】
本実施形態の場合、図２８（ｃ）に示すように、保護板部５１が使用時位置に位置決めされた状態に、レンズ保護カバー２６Ａがランプユニット機能部２５に装着されたときに、レンズ保護カバー２６Ａの第２の電線屈曲押え部８３が、電線カバー３３Ａの第１の電線屈曲押え部８１により挾持されている電線２８の屈曲部２８ａの外側の部位を、ランプユニット機能部２５Ａに対するレンズ保護カバー２６Ａの装着方向（即ち、ユニットハウジング３１の後面側に向かう方向）に屈曲させて、その屈曲部２８ｂを電線カバー３３Ａの第１の電線屈曲押え部８１との間に挾持する。
【０１０４】
第２の電線屈曲押え部８３は、連結部５６の内面部である。連結部５６は、電線２８の挿通方向に対向するように保護板部５１の両端部に延設された側壁である。
【０１０５】
第２の電線屈曲押え部８３としての連結部５６の内面部は、図２０及び図２１に示すように、上端縁に面取り８３ａが形成されている。この面取り８３ａは、角部に丸み又はテーパを付けたもので、接触する電線２８を傷付けないようにするためのものである。
【０１０６】
以上に説明したＬＥＤ照明装置２１Ａでは、一実施形態で説明した作用効果に加えて、次の作用効果を得ることができる。
【０１０７】
上記ＬＥＤ照明装置２１Ａの構成によれば、ユニットハウジング３１の接続手段収容部３１ｂに収容されたバスバー２９Ａに電線２８を圧接接続した後、ユニットハウジング３１に電線カバー３３Ａを組み付けると、図２４（ｃ）に示したように、電線カバー３３Ａに設けられた第１の電線屈曲押え部８１が、接続手段収容部３１ｂの両端に位置している電線２８を電線カバー３３Ａの前面側に屈曲させて、その屈曲部２８ａをユニットハウジング３１との間に挾持する。
【０１０８】
屈曲部２８ａの電線２８は、屈曲により曲げ剛性が向上していて、より堅固に固定することができる。そして、第１の電線屈曲押え部８１とユニットハウジング３１との挾持による電線固定部は、固定部の外側の電線２８に伝わる振動が固定部の内側の電線２８に伝播されることを阻止する振動止めとして機能する。
【０１０９】
従って、外部の振動が、圧接刃２９ｃに挾持されている電線部分に伝播されることを防止することができる。
【０１１０】
そのため、ユニットハウジング３１に電線カバー３３Ａの組み付けが完了しているＬＥＤ照明装置の保管時や輸送時等には、圧接接続されている電線２８が外部の振動の影響で圧接刃２９ｃから外れることが無く、電線２８との良好な接続特性を維持することができる。
【０１１１】
更に、バスバー２９Ａに圧接接続した電線２８が、バスバー２９Ａの外側で固定されているため、バスバー２９Ａ自体には電線固定用の外被把持爪を設ける必要がなく、バスバー２９Ａの小型化、構造の単純化を図ることができる。
【０１１２】
更に、上記ＬＥＤ照明装置２１Ａの構成によれば、ランプユニット機能部２５Ａの機能部取付け部２７への取り付け操作が完了して、ランプユニット機能部２５Ａに装着されているレンズ保護カバー２６Ａが使用時位置に位置決めされると、図２８（ｃ）に示したように、レンズ保護カバー２６Ａに装備した第２の電線屈曲押え部８３が、電線カバー３３Ａの第１の電線屈曲押え部８１とユニットハウジング３１との間に挾持されている電線の屈曲部２８ａの外側の部位を、ユニットハウジング３１の後面側に屈曲させて、その屈曲部２８ｂを電線カバー３３Ａとの間に挾持する。
【０１１３】
即ち、ＬＥＤ照明装置２１Ａの使用時には、ランプユニット機能部２５Ａ内のバスバー２９Ａに圧接接続されている電線２８は、接続手段収容部３１ｂの両端で、第１の電線屈曲押え部８１による屈曲と、第２の電線屈曲押え部８３による屈曲とをそれぞれ受けて、２重に屈曲部２８ａ，２８ｂが形成されて、それぞれの屈曲部２８ａ，２８ｂが挾持によりしっかりと固定された状態になる。
【０１１４】
そのため、電線の固定強度や、振動の伝搬を阻止する機能が、保管時の状態よりも更に向上し、激しい振動が加わる場所に設置された場合でも、圧接接続されている電線２８が外部の振動の影響で圧接刃２９ｃから外れることが無く、電線２８との良好な接続特性を安定維持することができる。
【０１１５】
本発明は、上述した実施形態に限定されるものではなく、適宜、変形、改良等が自在である。その他、上述した実施形態における各構成要素の材質、形状、寸法、数値、形態、数、配置場所、等は本発明を達成できる物であれば任意であり、限定されない。
【０１１６】
例えば、樹脂レンズ２３ａは開口部５１ａから突出せずに、開口部５１ａに近接した状態で光を照射する構成であってもよい。
【符号の説明】
【０１１７】
２１，２１Ａ  ＬＥＤ照明装置
２３  ＬＥＤランプ
２３ａ  樹脂レンズ
２５，２５Ａ  ランプユニット機能部
２６，２６Ａ  レンズ保護カバー
２７  機能部取付け部
２８  電線
２８ａ，２８ｂ  屈曲部
２９，２９Ａ  バスバー（電線接続手段）
３１  ユニットハウジング
３１ａ  ランプ保持部
３１ｂ  接続手段収容部
３１ｃ  前端面
３３，３３Ａ  電線カバー
３３ａ  側壁部
４１  電線カバー係止突起
４３  係合用切り欠き
４４  カバー係止突起
５１  保護板部
５１ａ  開口部
５３  連結部
５５  係合穴
５６  連結部
５７  切り欠き
５８  突起
５９  ロック部
６１  カバー係止部
７１  レンズ対向部（カバー位置決め部）
７１ａ  開口部
７３  ロック解除機構
７５  機能部固定部（カバー位置決め部）
７５ａ  係合突起
８１  第１の電線屈曲押え部
８３  第２の電線屈曲押え部
【図１】
2010232154.tif 000003
【図２】
2010232154.tif 000004
【図３】
2010232154.tif 000005
【図４】
2010232154.tif 000006
【図５】
2010232154.tif 000007
【図６】
2010232154.tif 000008
【図７】
2010232154.tif 000009
【図８】
2010232154.tif 000010
【図９】
2010232154.tif 000011
【図１０】
2010232154.tif 000012
【図１１】
2010232154.tif 000013
【図１２】
2010232154.tif 000014
【図１３】
2010232154.tif 000015
【図１４】
2010232154.tif 000016
【図１５】
2010232154.tif 000017
【図１６】
2010232154.tif 000018
【図１７】
2010232154.tif 000019
【図１８】
2010232154.tif 000020
【図１９】
2010232154.tif 000021
【図２０】
2010232154.tif 000022
【図２１】
2010232154.tif 000023
【図２２】
2010232154.tif 000024
【図２３】
2010232154.tif 000025
【図２４】
2010232154.tif 000026
【図２５】
2010232154.tif 000027
【図２６】
2010232154.tif 000028
【図２７】
2010232154.tif 000029
【図２８】
2010232154.tif 000030
【図２９】
2010232154.tif 000031
【図３０】
2010232154.tif 000032